(57)【要約】【課題】  従来の履物を用いることによる各種不具合を解消し、折板屋根の上を歩く際などに用いて最適な履物を提供する。【解決手段】  少なくとも一方向に沿って山部Ｐｍと谷部Ｐｄを交互に折曲形成した折板Ｐ…により構成した折板屋根Ｒの上を歩く際に用いる折板屋根用履物であって、使用者Ｈが足に履く履物本体部２と、この履物本体部２における履物底部２ｓの下面２ｓｄに、硬質素材Ｍを用いることにより所定の厚さＤｈに形成するとともに、下面部３ｄが略平坦となり、かつ履物底部２ｓの端縁２ｓｅから当該履物底部２ｓにおける下面２ｓｄの面方向外方Ｘｏの少なくとも左右方向に、所定の幅Ｄｗだけ突出した鍔部３ｅを設けた架板部３を一体に備える。【選択図】  図１
2015165863.tif 000002
【特許請求の範囲】
【請求項１】
少なくとも一方向に沿って山部と谷部を交互に折曲形成した折板により構成した折板屋根の上を歩く際に用いる折板屋根用履物であって、使用者が足に履く履物本体部と、この履物本体部における履物底部の下面に、硬質素材を用いることにより所定の厚さに形成するとともに、下面部が略平坦となり、かつ前記履物底部の端縁から当該履物底部における下面の面方向外方の少なくとも左右方向に、所定の幅だけ突出した鍔部を設けた架板部を一体に備えることを特徴とする折板屋根用履物。
【請求項２】
前記硬質素材は、剛性を有する合成樹脂素材を用いることを特徴とする請求項１記載の折板屋根用履物。
【請求項３】
前記架板部は、下面部に、表面加工又は高摩擦部材の貼付による滑止め機能部を設けてなることを特徴とする請求項１又は２記載の折板屋根用履物。
【請求項４】
前記架板部は、少なくとも前端縁に、斜め前上方へ起立する保護堤部を一体形成してなることを特徴とする請求項１，２又は３記載の折板屋根用履物。
【請求項５】
前記架板部と前記履物本体部間には、前記架板部と前記履物本体部を位置決めする位置決め機能部，及び前記架板部と前記履物本体部を固定又は固定解除する着脱機能部を設けてなることを特徴とする請求項１〜４のいずれかに記載の折板屋根用履物。
【請求項６】
前記架板部と前記履物本体部間には、所定の弾性を有するクッション層を介在させてなることを特徴とする請求項１〜５のいずれかに記載の折板屋根用履物。
【発明の詳細な説明】
【技術分野】
【０００１】
本発明は、折曲形成した山部と谷部を交互に有する折板を用いた折板屋根の上を歩く際などに用いて好適な折板屋根用履物に関する。
【背景技術】
【０００２】
従来、屋根上で取付工事等の作業を行う際に、作業者が、滑ったり踏み外したりした場合、屋根から転落する危険性もあるため、より安全性を高めることを企図した屋根作業用の履物も提案されており、この種の履物としては、特許文献１に開示される屋根作業用シューズ，特許文献２で開示される屋根上作業用サンダル，及び特許文献３で開示される滑り防止用履物が知られている。
【０００３】
同文献１で開示される屋根作業用シューズは、屋根の上で屋根作業を行なう際に使用する屋根作業用シューズであって、靴底を構成するゴム底部に滑り止めのシートが貼着されていると共に、該シートが、不織布の両側にゴム化アスファルトの層が積層されてなり、かつ少なくとも屋根面に接地する側のゴム化アスファルトの層の表面に鉱物質粒子を付着させたものである。また、同文献２で開示される屋根上作業用サンダルは、屋根作業を行う際に、サンダルを屋根勾配に合わせて靴の下に履き、屋根の上での作業時に身体が水平に保て且つ安全及び作業性を考慮したものであり、具体的には、作業する屋根の角度に、連結ピンをピン受け穴にセットして作業靴に取り付けて屋根上で作業を行えるようにしたものである。さらに、同文献３で開示される滑り防止用履物は、屋根等で濡れた場所を歩いても滑らない安全な履物を提供することを目的としたものであり、具体的には、底板の底面を、床皮その他天然または人工の皮の面を粗画にしてなるシート（皮）で覆って滑り防止用履物を構成したものである。
【先行技術文献】
【特許文献】
【０００４】
【特許文献１】実開平３−３１３０１号公報
【特許文献２】特開２００２−２３８６１８号公報
【特許文献３】特開２００３−１１６６０１号公報
【発明の概要】
【発明が解決しようとする課題】
【０００５】
しかし、上述した従来における屋根で作業を行うための屋根作業用の履物は、次のような問題点があった。
【０００６】
即ち、いずれの場合も滑り止め機能を付加したものであるため、滑り止め効果を確保できるものの、その以上の機能を有するものではない。なお、引用文献２の場合は、傾斜面に対応した付加機能を備えているが、基本的には傾斜面の滑りを防止するためのものであり、それ以上の機能を発揮するものではない。したがって、いずれの場合も、滑り止め効果を除けば、通常の靴やサンダル等と同じ一般的な履物の域を出ない。
【０００７】
一方、屋根には、様々な形態の屋根が存在するが、屋根の形態を考慮した履物はほとんど存在しないのが実情である。特に、特殊な形状による屋根、具体的には、一方向に山部と谷部を交互に折曲形成した折板を用いる折板屋根は、工場等の建造に広く用いられているにも拘わらず、この種の折板屋根に適した履物は何ら提供されていない。結局、従来の履物をもっては、滑り止め機能を確保できるとしても、それ以上の機能が発揮されることはなく、通常の靴やサンダル等の履物を用いた際に生じる不具合、具体的には、谷部を避けつつ山部を選んで歩く必要があり、歩きにくく全体の作業能率の低下を招きやすいこと、履物が谷部に入った際には谷部に履物が嵌まり、足を挫くなどの怪我をしやすいこと、夏場においては屋根が高温となり、履物も暑くなってしまうこと、などの不具合を生じる難点があった。
【０００８】
本発明は、このような背景技術に存在する課題を解決した折板屋根用履物の提供を目的とするものである。
【課題を解決するための手段】
【０００９】
本発明に係る折板屋根用履物１は、上述した課題を解決するため、少なくとも一方向Ｘｓに沿って山部Ｐｍと谷部Ｐｄを交互に折曲形成した折板Ｐ…により構成した折板屋根Ｒの上を歩く際に用いる折板屋根用履物であって、使用者Ｈが足に履く履物本体部２と、この履物本体部２における履物底部２ｓの下面２ｓｄに、硬質素材Ｍを用いることにより所定の厚さＤｈに形成するとともに、下面部３ｄが略平坦となり、かつ履物底部２ｓの端縁２ｓｅから当該履物底部２ｓにおける下面２ｓｄの面方向外方Ｘｏの少なくとも左右方向に、所定の幅Ｄｗだけ突出した鍔部３ｅを設けた架板部３を一体に備えてなることを特徴とする。
【００１０】
この場合、発明の好適な態様により、硬質素材Ｍとしては、剛性を有する合成樹脂素材Ｍｒを用いることが望ましい。一方、架板部３における、下面部３ｄには、表面加工Ｃ又は高摩擦部材４の貼付による滑止め機能部Ｆｓを設けることができるとともに、少なくとも前端縁３ｓｆには、斜め前上方へ起立する保護堤部３ｆを一体形成することができる。さらに、架板部３と履物本体部２間には、架板部３と履物本体部２を位置決めする位置決め機能部Ｆｃ，及び架板部３と履物本体部２を固定又は固定解除する着脱機能部Ｆｊを設けることができる。なお、架板部３と履物本体部２間には、所定の弾性を有するクッション層５を介在させることが望ましい。
【発明の効果】
【００１１】
このような構成を有する本発明に係る折板屋根用履物１によれば、次のような顕著な効果を奏する。
【００１２】
（１）  使用者Ｈが足に履く履物本体部２と、この履物本体部２における履物底部２ｓの下面２ｓｄに、硬質素材Ｍを用いることにより所定の厚さＤｈに形成するとともに、下面部３ｄが略平坦となり、かつ履物底部２ｓの端縁２ｓｅから当該履物底部２ｓにおける下面２ｓｄの面方向外方Ｘｏの少なくとも左右方向に、所定の幅Ｄｗだけ突出した鍔部３ｅを設けた架板部３を一体に備えるため、折板屋根Ｒの上を歩く際などに用いて最適な履物１として提供できる。したがって、従来の履物を用いることによる不具合、即ち、谷部Ｐｄ…を避けつつ山部Ｐｍ…を選んで歩く必要があり、歩きにくく全体の作業能率の低下を招きやすいこと、履物が谷部Ｐｄ…に入った際に谷部Ｐｄ…に履物が嵌まり、足を挫くなどの怪我をしやすいこと、夏場においては屋根が高温となり、履物も暑くなってしまうこと、などの不具合を解消できる。
【００１３】
（２）  好適な態様により、硬質素材Ｍとして、剛性を有する合成樹脂素材Ｍｒを用いれば、汎用プラスチック素材などの利用ができるため、実施に係わる容易性を確保できることに加え、折板屋根用履物１全体の軽量性及び低コスト性を高めることができる。
【００１４】
（３）  好適な態様により、架板部３における、下面部３ｄに、表面加工Ｃ又は高摩擦部材４の貼付による滑止め機能部Ｆｓを設ければ、架板部３自身に基づく作用効果に加えて、滑りにくくなるため、これらの相乗的効果により、歩行の容易性及び安全性をより高めることができるとともに、防音性及び快適性の向上にも寄与できる。
【００１５】
（４）  好適な態様により、架板部３における、少なくとも前端縁３ｓｆに、斜め前上方へ起立する保護堤部３ｆを一体形成すれば、傾斜した保護堤部３ｆにより、無用な躓きを回避できる。しかも、履物本体部２に対するプロテクトとして機能させることができるとともに、全体のデザイン性（形状性）を高めることができるなど、多機能性及び多様性、更には発展性を高めることができる。
【００１６】
（５）  好適な態様により、架板部３と履物本体部２間に、架板部３と履物本体部２を位置決めする位置決め機能部Ｆｃ，及び架板部３と履物本体部２を固定又は固定解除する着脱機能部Ｆｊを設ければ、架板部３と履物本体部２を着脱式に構成できるため、履物本体部２を使用者の足サイズに変更したり、架板部３を折板屋根Ｒの形態（仕様）に適合させることができるなど、使い勝手及び利便性の向上、更には選択使用によるコストメリットを享受できる。
【００１７】
（６）  好適な態様により、架板部３と履物本体部２間に、所定の弾性を有するクッション層５を介在させれば、歩くときなどにおいて、折板屋根Ｒから受ける衝撃を吸収できるとともに、傾斜した折板屋根を歩く際における歩行の容易性をより高めることが可能となる。
【図面の簡単な説明】
【００１８】
【図１】本発明の好適実施形態に係る折板屋根用履物の斜視図、
【図２】同折板屋根用履物の一部断面側面図、
【図３】同折板屋根用履物の平面図、
【図４】同折板屋根用履物の分解側面図、
【図５】同折板屋根用履物の一部抽出拡大図及び一部抽出Ａ−Ａ線断面図を含む底面図、
【図６】同折板屋根用履物の側面から見た使用説明図、
【図７】同折板屋根用履物の平面から見た使用説明図、
【図８】本発明の変更実施形態に係る折板屋根用履物の分離した状態を示す一部断面側面図、
【図９】同折板屋根用履物の取付けた状態を示す一部断面側面図、
【発明を実施するための形態】
【００１９】
次に、本発明に係る好適実施形態を挙げ、図面に基づき詳細に説明する。
【００２０】
まず、本実施形態に係る折板屋根用履物１の構成について、図１〜図５を参照して具体的に説明する。
【００２１】
折板屋根用履物１は、図１及び図２に示すように、使用者が足に履く履物本体部２及びこの履物本体部２における履物底部２ｓの下面２ｓｄに一体に設けた架板部３により構成する。
【００２２】
履物本体部２は、基本的に、履物底部２ｓの構造を除いて通常の一般的な履物と同じ構造により構成可能である。履物本体部２の種類としては、設置工事等の各種作業に適する作業靴が望ましいが、その他、ズック，長靴，サンダルなど、各種履物を適用可能でありその種類は問わない。
【００２３】
一方、履物底部２ｓは、後に詳述する架板部３が履物底部としての機能を兼ねることにもなるため、履物底部２ｓの構造としては、一般的な履物に対して、より簡易化できるとともに、他の機能性を付加することもできる。例示する履物底部２ｓは、所定の弾性を有するクッション層５として形成した。したがって、クッション層５は一般的な靴等の履物における靴底と同程度の厚みを有する軟質ゴム等を用いて形成可能である。このようなクッション層５を設ければ、歩くときなどにおいて、折板屋根Ｒから受ける衝撃を吸収できるとともに、傾斜した折板屋根を歩く際における歩行の容易性をより高めることができる利点がある。また、履物底部２ｓの下面２ｓｄは、図４に示すように、平坦に形成することが望ましい。例示の場合、全面を平坦に形成したが、その他、前後のみを平坦に形成するなど、一部のみを平坦に形成する場合を排除するものではない。なお、クッション層５の上には足を載せる中敷部２ｉを設ける。
【００２４】
他方、架板部３は、硬質素材Ｍ、望ましくは、剛性を有する合成樹脂素材Ｍｒを用いて一体形成するとともに、図４に示すように、所定の厚さＤｈを有し、かつ図３に示すように、平面視がほぼ楕円形Ｓとなるように形成する。架板部３を形成する硬質素材Ｍとして、このような剛性を有する合成樹脂素材Ｍｒを用いれば、汎用プラスチック素材などの利用ができるため、実施に係わる容易性を確保できることに加え、折板屋根用履物１全体の軽量性及び低コスト性を高めることができる利点がある。なお、架板部３の厚さＤｈは、後述する折板屋根Ｒを歩いた際などにおいて、使用者の体重が付加された状態であっても撓みや割れなどが生じない十分な強度を確保できる厚さを選定する。また、楕円形Ｓの標準的なサイズとしては、図３に示すように、横（左右）寸法Ｌｈを２０〔ｃｍ〕程度に選定することができるとともに、縦（前後）寸法を３５〔ｃｍ〕程度に選定することができる。これにより、履物底部２ｓの端縁２ｓｅから当該履物底部２ｓにおける下面２ｓｄの面方向外方Ｘｏには、少なくとも左右方向に所定の幅Ｄｗだけ突出した鍔部３ｅを設けることができる。例示は、全体の形状が楕円形Ｓとなるため、左右方向のみならず、前後方向にも所定の幅だけ突出し、鍔部３ｅは３６０〔゜〕にわたる全放射方向に設けた場合の例となる。
【００２５】
さらに、架板部３における、少なくとも前端縁３ｓｆには、斜め前上方へ起立する保護堤部３ｆを一体形成する。これにより、架板部３の前端縁３ｓｆには、図４に示す傾斜した保護堤部３ｆが連続形成されるため、この保護堤部３ｆにより、無用な躓きを回避できる。しかも、履物本体部２に対するプロテクトとして機能させることができるとともに、全体のデザイン性（形状性）を高めることができるなど、多機能性及び多様性、更には発展性を高めることができる利点がある。
【００２６】
また、架板部３の下面部３ｄは、図４に示すように、略平坦となるように形成するとともに、図５に示すような滑止め機能部Ｆｓを設ける。なお、滑止め機能部Ｆｓとしては、各種の滑止めを適用可能である。具体的には、図５（ａ）に示すように、下方から見た形状が一般の靴底のようなジグザグ形状に形成するとともに、側面視の断面形状を三角波形の凹凸形状となる滑止形状３ｄｓを設けることができる。この例は、下面部３ｄに滑止形状３ｄｓを直接形成する表面加工Ｃを施す例となる。一方、図５（ｂ）に示すように、ゴムシート等を用いた高摩擦部材４を貼付けることもできる。この場合、必要より、下面部３ｄに凹部３ｄｙを設けるなどにより高摩擦部材４の位置決め及びズレ防止を図ることが望ましい。したがって、このような滑止め機能部Ｆｓを設ければ、架板部３自身に基づく作用効果に加えて、滑りにくくなるため、これらの相乗的効果により、歩行の容易性及び安全性より高めることができるとともに、防音性及び快適性の向上にも寄与できる利点がある。
【００２７】
そして、このように製作できる履物本体部２と架板部３は、図４に示すように、組付ける。即ち、接着剤或いは接着シート等の接着手段Ｊを用意し、履物本体部２における履物底部２ｓの下面２ｓｄと架板部３の上面間に、当該接着手段Ｊを介在させることにより履物底部２ｓの下面２ｓｄと架板部３の上面を接着固定する。この際、架板部３の上面における略中央位置に履物本体部２を位置決めして固定する。以上により、図１及び図２に示す本実施形態に係る折板屋根用履物１を得ることができる。
【００２８】
次に、本実施形態に係る折板屋根用履物１の使用方法及び機能について、図６及び図７を参照して説明する。
【００２９】
今、一例として、折板屋根Ｒの上に太陽光発電システムの設置工事を行うものとし、この折板屋根Ｒを図６に示す。折板屋根Ｒは、一方向Ｘｓに沿って山部Ｐｍと谷部Ｐｄを交互に折曲形成した折板Ｐ…を、梁Ｂ上に取付けることにより建造する屋根であり、最も一般的な折板屋根Ｒの場合、山部ＰｍとＰｍ間のピッチは２０〔ｃｍ〕程度である。折板屋根用履物１は、このような折板屋根Ｒの上を歩く際に用いて最適である。
【００３０】
作業を行うに際し、まず、作業者（使用者Ｈ）は、自分に合ったサイズの履物本体部２及び設置工事を行う折板屋根Ｒの形態にマッチングする架板部３を有する折板屋根用履物１を選択する。折板屋根用履物１を履く際には、図６に示すように、使用者Ｈの足を履物本体部２に差し込めばよく、通常の一般的な靴等の履物と同様に履くことができる。また、折板屋根用履物１を履くことにより、図６に示すように、折板屋根Ｒの上をそのまま普通に歩くことができる。これにより、作業者（使用者Ｈ）は、折板屋根Ｒの上で太陽光発電システムを設置するための設置工事を容易かつ安全に行うことができる。
【００３１】
この場合、折板屋根Ｒの折曲ラインに対して交差する方向（上記Ｘｓ方向）に歩く際には、図６（Ｅ１）に示すように、二つの山部Ｐｍ及びＰｍの上に架板部３を載せることができるため、安定した状態で歩くことができる。仮に、一つの山部Ｐｍのみに載り、不安定になるような場合であっても、図６（Ｅ２）に示すように、架板部３の前端縁３ｓｆに設けた保護堤部３ｆが前の山部Ｐｍの傾斜面に当接するなどにより、大きく不安定になることは回避される。他方、図７に示すように、折曲ラインに沿って歩く場合であっても、図７（Ｅ３）及び（Ｅ４）に示すように、架板部３は、必ず一つ又は二つの山部Ｐｍ…に載せることができるため、谷部Ｐｄの中に折板屋根用履物１が入り込むことはない。
【００３２】
このように、本実施形態に係る折板屋根用履物１は、使用者Ｈが足に履く履物本体部２と、この履物本体部２における履物底部２ｓの下面２ｓｄに、硬質素材Ｍを用いることにより所定の厚さＤｈに形成するとともに、下面部３ｄが略平坦となり、かつ履物底部２ｓの端縁２ｓｅから当該履物底部２ｓにおける下面２ｓｄの面方向外方Ｘｏの少なくとも左右方向に、所定の幅Ｄｗだけ突出した鍔部３ｅを設けた架板部３を一体に備えるため、折板屋根Ｒの上を歩く際などに用いて最適な履物１として提供できる。したがって、従来の履物を用いることによる不具合、即ち、谷部Ｐｄ…を避けつつ山部Ｐｍ…を選んで歩く必要があり、歩きにくく全体の作業能率の低下を招きやすいこと、履物が谷部Ｐｄ…に入った際に谷部Ｐｄ…に履物が嵌まり、足を挫くなどの怪我をしやすいこと、夏場においては屋根が高温となり、履物も暑くなってしまうこと、などの不具合を解消できる。
【００３３】
次に、本発明の変更実施形態に係る折板屋根用履物１について、図８及び図９を参照して説明する。
【００３４】
変更実施形態に係る折板屋根用履物１は、履物本体部２と架板部３間に、履物本体部２と架板部３を位置決めする位置決め機能部Ｆｃ，及び履物本体部２と架板部３を固定又は固定解除する着脱機能部Ｆｊを設けたものである。したがって、本発明に係る折板屋根用履物１には、このような変更実施形態に係る折板屋根用履物１も含まれる。
【００３５】
例示の場合、位置決め機能部Ｆｃとして、履物本体部２における履物底部２ｓの下面２ｓｄに設けた複数（例示は二つ）の位置決凹部７ｕ，７ｕと、架板部３の上面に設け、位置決凹部７ｕ，７ｕに嵌合して、履物本体部２に対する位置決めを行う複数（例示は二つ）の位置決凸部７ｄ，７ｄとを用いて構成した。
【００３６】
また、着脱機能部Ｆｊとして、架板部３に対して追加的に設けた固定用バンド８により構成した。固定用バンド８は、図８に示すように、架板部３の左縁部に一端を固定した第一バンド部８ｐと、架板部３の右縁部に一端を固定した第二バンド部８ｑにより構成する。そして、第一バンド部８ｐの他端近傍の面に設けた着脱部９ｐと第二バンド部８ｑの他端近傍の面に設けた被着脱部９ｑにより面ファスナ９を構成し、この被着脱部９ｑと着脱部９ｐにより、第一バンド部８ｐと第二バンド部８ｑを着脱可能に構成した。
【００３７】
さらに、このように構成する履物本体部２と架板部３は、それぞれ複数種類の履物本体部２…と架板部３…として用意する。即ち、履物本体部２…として、使用者Ｈ…の足のサイズに応じて選択できる複数の異なるサイズの履物本体部２…を用意するとともに、架板部３…として、使用する折板屋根Ｒ…の異なる形態にマッチングする複数の異なる寸法の架板部３…を用意する。
【００３８】
したがって、このように構成する変更実施形態に係る折板屋根用履物１は、次のように使用できる。まず、作業者（使用者Ｈ）は、自分に合ったサイズの履物本体部２を選択するとともに、設置工事を行う折板屋根Ｒの形態にマッチングする架板部３を選択する。そして、図８に示すように、面ファスナ９の被着脱部９ｑと着脱部９ｐを外し、第一バンド部８ｐと第二バンド部８ｑを開いた状態の架板部３の上面に履物本体部２を載せる。この際、位置決凹部７ｕ，７ｕと対応する位置決凸部７ｄ，７ｄを、図９に示すように、嵌合させる。次いで、第一バンド部８ｐと第二バンド部８ｑを履物本体部２に巻付け、被着脱部９ｑに着脱部９ｐを装着して第一バンド部８ｐと第二バンド部８ｑを結合する。
【００３９】
これにより、図９に示すように、履物本体部２と架板部３を一体に備える折板屋根用履物１を得ることができるとともに、上述した図１〜図７に示した基本的な実施形態に係る折板屋根用履物１と同様に使用し、かつ機能させることができる。加えて、このような変更実施形態に係る折板屋根用履物１によれば、架板部３と履物本体部２を着脱式に構成できるため、履物本体部２を使用者の足サイズに変更したり、架板部３を折板屋根Ｒの形態（仕様）に適合させることができるなど、使い勝手及び利便性の向上、更には選択使用によるコストメリットを享受できる利点がある。
【００４０】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００４１】
例えば、架板部３を形成する硬質素材Ｍとして、剛性を有する合成樹脂素材Ｍｒを例示したが、アルミニウム或いはアルミニウム合金等の軽量な金属素材をはじめ、木質素材等、各種素材を利用可能である。また、少なくとも左右方向に所定の幅Ｄｗだけ突出した鍔部３ｅを設けるとは、最低限、左右方向に突出させるの意味であり、実施形態のように前後方向を含む全周から３６０゜にわたる放射方向に突出させてもよいし、他方、必要により左右方向のみに設けてもよい。さらに、架板部３の前端縁３ｓｆに設ける保護堤部３ｆは、架板部３の前端縁３ｓｆに設けるのみならず、架板部３の全周における他の端縁の一部又は全部に設けてもよい。加えて、斜め前上方へ起立する形状の保護堤部３ｆを例示したが、その形状は任意である。その他、図３に仮想線で示すように、架板部３の面に、多数の小孔２１…を貫通形成することにより、全体の、軽量化，使用材料の節減，雨等に対する排水性を高めてもよい。
【産業上の利用可能性】
【００４２】
本発明に係る折板屋根用履物は、折曲形成した山部と谷部を交互に有する折板を用いた折板屋根の上を歩く際などに利用できる。
【符号の説明】
【００４３】
１：折板屋根用履物，２：履物本体部，２ｓ：履物底部，２ｓｄ：履物底部の下面，２ｓｅ：履物底部の端縁，３：架板部，３ｄ：架板部の下面部，３ｅ：鍔部，３ｆ：保護堤部，３ｓｆ：前端縁，４：高摩擦部材，５：クッション層，Ｘｓ：一方向，Ｘｏ：履物底部における下面の面方向外方，Ｍ：硬質素材，Ｍｒ：合成樹脂素材，Ｆｓ：滑止め機能部，Ｆｃ：位置決め機能部，Ｆｊ：着脱機能部，Ｐ：折板，Ｐｍ：山部，Ｐｄ：谷部，Ｒ：折板屋根，Ｈ：使用者，Ｄｈ：所定の厚さ，Ｄｗ：所定の幅，Ｃ：表面加工
【図１】
2015165863.tif 000003
【図２】
2015165863.tif 000004
【図３】
2015165863.tif 000005
【図４】
2015165863.tif 000006
【図５】
2015165863.tif 000007
【図６】
2015165863.tif 000008
【図７】
2015165863.tif 000009
【図８】
2015165863.tif 000010
【図９】
2015165863.tif 000011